(57)【要約】【課題】認証装置のＲＦＩＤリーダの読取範囲がたとえ広くても、登録または無効の対象であるＲＦＩＤタグ以外のＲＦＩＤタグを誤って認証登録または認証無効を行うことを防止できる、認証登録・無効化装置を提供する。【解決手段】認識エリアＡ内の操作用タグ１０ｂをＲＦＩＤタグ認識手段３１ａが認識している状態で登録指示または無効化指示を受けると、その時点において認識エリアＡ内に位置する認証用タグ１０ａのうち、所定の条件を満足する認証用タグ１０ａの状態を、仮登録または仮無効化に設定する仮状態設定手段３２ａと、認識エリアＡ内の操作用タグ１０ｂをＲＦＩＤタグ認識手段３１ａが認識している状態で実行指示を受けると、仮登録または仮無効の状態に設定されている認証用タグ１０ａの状態を、登録または無効に設定する登録・無効化手段３２ｂとを備える。【選択図】図１
2014219751.tif 000002
【特許請求の範囲】
【請求項１】
認証用タグおよび操作用タグを含むＲＦＩＤタグのうち、前記認証用タグを、認証登録または認証無効化する装置であって、
複数のＲＦＩＤタグの存在を許容する認識エリア内に位置する全てのＲＦＩＤタグが発信するＲＦＩＤ信号を受信するＲＦＩＤリーダと、
前記ＲＦＩＤリーダが受信するＲＦＩＤ信号に基づいて、前記認識エリア内に位置するＲＦＩＤタグを認識するＲＦＩＤタグ認識手段と、
登録指示または無効化指示を受けている間に前記認識エリア内に位置すると前記ＲＦＩＤタグ認識手段によって認識された認証用タグのうち、所定の条件を満足する認証用タグの状態を、仮登録または仮無効に設定する仮状態設定手段と、
実行指示を受けると、仮登録または仮無効の状態に設定されている認証用タグの状態を、登録または無効に設定して認証登録または認証無効化する登録・無効化手段とを備えた、認証登録・無効化装置。
【請求項２】
請求項１に記載の認証登録・無効化装置において、
前記登録指示または前記無効化指示、および前記実行指示は、前記認識エリア内に位置する前記操作用タグが発信するＲＦＩＤ信号に含まれる、認証登録・無効化装置。
【請求項３】
請求項１または２に記載の認証登録・無効化装置において、
前記認識エリアは、第１の起動源がＲＦＩＤタグを起動する第１の起動エリアによって画定される、認証登録・無効化装置。
【請求項４】
請求項１から３のいずれか一項に記載の認証登録・無効化装置において、
前記所定の条件は、登録指示または無効化指示を受けている間に前記認識エリア内に位置すると前記ＲＦＩＤタグ認識手段によって最初に認識されてから所定期間中は前記ＲＦＩＤタグ認識手段が当該認証用タグは前記認識エリア内に位置すると認識し、その後、前記ＲＦＩＤタグ認識手段が当該認証用タグは前記認識エリア内に位置しないと認識することである、認証登録・無効化装置。
【請求項５】
請求項３に記載の認証登録・無効化装置において、
前記ＲＦＩＤリーダは、前記認識エリアに隣接して前記認識エリアとは別の認識エリアであって、第２の起動源がＲＦＩＤタグを起動する第２の起動エリアによって画定される別の認識エリア内に位置する全てのＲＦＩＤタグが発信するＲＦＩＤ信号も受信し、
前記ＲＦＩＤリーダが受信するＲＦＩＤ信号は、そのＲＦＩＤ信号を発信するＲＦＩＤタグが前記第１および第２の起動源のいずれによって起動されたかを示す起動エリアＩＤを含み、
前記ＲＦＩＤタグ認識手段は、さらに、前記別の認識エリア内に位置するＲＦＩＤタグを認識し、
前記所定の条件は、前記仮状態設定手段が登録指示または無効化指示を受けた後に、前記ＲＦＩＤリーダが受信するＲＦＩＤ信号に含まれる前記起動エリアＩＤに基づいて、前記ＲＦＩＤタグ認識手段が、当該認証用タグは前記認識エリア内に位置せず、別の認識エリア内に位置すると認識することである、認証登録・無効化装置。
【請求項６】
請求項１から３のいずれか一項に記載の認証登録・無効化装置において、
前記所定の条件は無条件であり、
前記登録・無効化手段が、前記操作用タグが前記認識エリア内に位置している状態で実行指示を受けると、仮登録または仮無効の状態に設定されている認証用タグの状態を、登録または無効に設定することに代えて、前記登録・無効化手段が、前記操作用タグが前記認識エリア内に位置している状態で実行指示を受けると、その時点において前記認識エリア内に位置する認証用タグのうち、仮登録または仮無効の状態に設定されている認証用タグの状態を、登録または無効に設定する、認証登録・無効化装置。
【請求項７】
請求項１から６のいずれか一項に記載の認証登録・無効化装置において、さらに、
前記ＲＦＩＤタグ認識手段が認識したＲＦＩＤタグのうち、認証用タグについて、前記登録・無効化手段が設定した状態に基づいて、認証登録されているか否かを判定する認証手段と、
前記認証手段が認証登録されていると判定すると、認証登録されている旨の結果を出力する認証通知手段とを備えた、認証登録・無効化装置。
【請求項８】
請求項７に記載の認証登録・無効化装置において、
前記認証通知手段が前記結果を出力することによって、開閉手段の開放が許可される、認証登録・無効化装置。
【発明の詳細な説明】
【技術分野】
【０００１】
本発明は、電池を内蔵して自ら電波を発信するＲＦＩＤタグの認証登録または認証無効化を行う装置に関する。
【背景技術】
【０００２】
従来、認証のために、電池を内蔵しない、いわゆるパッシブ型のＲＦＩＤタグが内蔵されたＩＣカードが用いられることが多い。このＩＣカードの携帯者は、ＲＦＩＤリーダが内蔵された認証装置にそのＩＣカードを挿入したりかざしたりして認証を受ける。
【０００３】
このＲＦＩＤタグの認証登録や認証無効化の方法の１つとして、登録用カードと抹消用（無効化用）カードを用いて所定の操作を行う方法がある（例えば、特許文献１）。この方法では、認証装置に、登録用または抹消用のカードを挿入してから所定期間内に認証用ＲＦＩＤ内蔵のＩＣカードがその認証装置に挿入された場合に、その認証用ＲＦＩＤタグを認証登録または認証無効化する。
【０００４】
一方、最近では、認証を受ける際に認証装置にＩＣカードを挿入したりかざしたりする必要のない、電池を内蔵して自ら電波を発信する、いわゆるアクティブ型やセミアクティブ型のＲＦＩＤタグを設けたＩＣカード（ただし、カード形状に限定されず）が用いられている。このようなＩＣカードはある程度離れたＲＦＩＤリーダから読取り可能であるため、携帯者はそのＩＣカードを手で持つ必要がなく、ＩＣカードを携帯さえしていれば、携帯者は何もしなくとも認証を受けることができる。
【先行技術文献】
【特許文献】
【０００５】
【特許文献１】特許第２６８３３７９号公報
【発明の概要】
【発明が解決しようとする課題】
【０００６】
しかし、このようなハンズフリータイプのＩＣカードの登録や無効化を、パッシブ型ＲＦＩＤタグが設けられたＩＣカードと同様にＲＦＩＤリーダに読み取らせて行おうとすると、認証装置のＲＦＩＤリーダの読取範囲が広いので、登録や無効化の対象ではないＩＣカードが、たまたまその読取範囲内に存在したために誤って登録や無効化される恐れがある。そのため、通常、認証装置とは別個に設けたパーソナルコンピュータなどを用いて登録や無効化が行われる。
【０００７】
そこで、本発明は、認証装置のＲＦＩＤリーダの読取範囲がたとえ広くても、登録または無効化の対象ではないＲＦＩＤタグが誤って認証登録または認証無効化されるのを防止できる、認証登録・無効化装置を提供することを目的とする。
【課題を解決するための手段】
【０００８】
上記目的を達成するために、本発明にかかる認証登録・無効化装置は、認証用タグおよび操作用タグを含むＲＦＩＤタグのうち、前記認証用タグを、認証登録または認証無効化する装置であって、複数のＲＦＩＤタグの存在を許容する認識エリア内に位置する全てのＲＦＩＤタグが発信するＲＦＩＤ信号を受信するＲＦＩＤリーダと、前記ＲＦＩＤリーダが受信するＲＦＩＤ信号に基づいて、前記認識エリア内に位置するＲＦＩＤタグを認識するＲＦＩＤタグ認識手段と、登録指示または無効化指示を受けている間に前記認識エリア内に位置すると前記ＲＦＩＤタグ認識手段によって認識された認証用タグのうち、所定の条件を満足する認証用タグの状態を、仮登録または仮無効に設定する仮状態設定手段と、実行指示を受けると、仮登録または仮無効の状態に設定されている認証用タグの状態を、登録または無効に設定して認証登録または認証無効化する登録・無効化手段とを備える。
【０００９】
ここで、「認証登録」とは、その認証用タグを、認証されたものとして登録することであり、認証登録された認証用タグは、その後に認証動作中の認証装置によって認証される。一方、「認証無効化」とは、その認証用タグを、認証しないものとして無効化することであり、認証無効化された認証用タグは、その後に認証動作中の認証装置によって認証されない。
【００１０】
また、「認証用タグ」と「操作用タグ」は、例えば、それらが発信するＲＦＩＤ信号に認証用タグまたは操作用タグであることを示す識別子を含み、ＲＦＩＤリーダでいずれのタグから発信されたＲＦＩＤ信号であるかを判定できるようにしてもよい。
【００１１】
さらに、「登録指示または無効化指示を受けている間」とは、定期的に連続して登録指示または無効化指示を受ける場合には、その指示を連続して受けている間であり、一回のみ登録指示または無効化指示を受ける場合には、この指示を受けてから次に別の指示を受けるまでの間である。また、「登録指示または無効化指示を受けている間に前記認識エリア内に位置する認証用タグ」とは、「登録指示または無効化指示を受けている間」のいずれかの時点、つまり、定期的で連続する登録指示または無効化指示のいずれかの指示の時点、または、一回のみの登録指示または無効化指示から次に別の指示を受けるまでの間のいずれかの時点において、ＲＦＩＤタグ認識手段が認識した認証用タグのことである。
【００１２】
さらに、認識エリア内は複数のＲＦＩＤタグの存在を許容するため、これらＲＦＩＤタグは電池を内蔵して自ら電波を発信するいわゆるアクティブ型、または電池を内蔵するが起動源によって起動される起動エリア内でのみ自ら電波を発信するいわゆるセミアクティブ型である。
【００１３】
この構成によれば、一旦仮登録または仮無効化してから登録または無効化するため、登録対象ではない認証用タグが認識エリア内に位置するために誤って登録や無効化される可能性が低くなる。すなわち、認識エリア内の複数のＲＦＩＤタグを認識できるために登録対象ではない認証用タグまでも認識することがあるが、このような認証用タグは、仮登録または仮無効化と、その後に続く登録または無効化との２段階を経る可能性が低く、登録または無効化され難い。
【００１４】
好ましい実施形態によれば、前記登録指示または前記無効化指示、および前記実行指示は、前記認識エリア内に位置する前記操作用タグが発信するＲＦＩＤ信号に含まれる。各指示が、操作用タグが発信する信号に含まれるため、認証登録・無効化装置自体に各指示入力のために操作ボタンなどを設ける必要がない。なお、操作ボタンを設けた場合、いたずら防止のために鍵などを取り付ける必要があるが、それでは外観上好ましくない。
【００１５】
好ましい実施形態によれば、前記認識エリアは、第１の起動源がＲＦＩＤタグを起動する第１の起動エリアによって画定される。ここで、「起動源」は磁界発生手段であり、「起動エリア」はＲＦＩＤタグが内蔵する電池を起動させる磁界エリアである。すなわち、この実施形態におけるＲＦＩＤタグは、起動エリア内でのみ自らＲＦＩＤ信号を発信する、いわゆるセミアクティブ型である。このように、ＲＦＩＤタグがいわゆるセミアクティブ型であるため、登録または無効化を行う操作者は限定された認識エリアを認識しやすく、操作を行いやすい。
【００１６】
さらに好ましい実施形態によれば、前記所定の条件は、登録指示または無効化指示を受けている間に前記認識エリア内に位置すると前記ＲＦＩＤタグ認識手段によって最初に認識されてから所定期間中は前記ＲＦＩＤタグ認識手段が当該認証用タグは前記認識エリア内に位置すると認識し、その後、前記ＲＦＩＤタグ認識手段が当該認証用タグは前記認識エリア内に位置しないと認識することである。認証用タグが仮登録または仮無効化されるためには、少なくとも所定期間認識エリアに滞在してから認識エリアから出ることが必要であるため、認識エリアをたまたま横切る人間が携帯する認証用タグがその所定期間認識エリアに滞在することはほとんどなく、このような認証用タグが誤って仮登録または仮無効化されることが防止される。「所定期間」は、認識エリアの大きさなどを勘案して、人間がこの認識エリアを横切るのに要するであろう最大時間よりも長く設定される。
【００１７】
好ましい実施形態によれば、前記ＲＦＩＤリーダは、前記認識エリアに隣接して前記認識エリアとは別の認識エリアであって、第２の起動源がＲＦＩＤタグを起動する第２の起動エリアによって画定される別の認識エリア内に位置する全てのＲＦＩＤタグが発信するＲＦＩＤ信号も受信し、前記ＲＦＩＤリーダが受信するＲＦＩＤ信号は、そのＲＦＩＤ信号を発信するＲＦＩＤタグが前記第１および第２の起動源のいずれによって起動されたかを示す起動エリアＩＤを含み、前記ＲＦＩＤタグ認識手段は、さらに、前記別の認識エリア内に位置するＲＦＩＤタグを認識し、前記所定の条件は、前記仮状態設定手段が登録指示または無効化指示を受けた後に、前記ＲＦＩＤリーダが受信するＲＦＩＤ信号に含まれる前記起動エリアＩＤに基づいて、前記ＲＦＩＤタグ認識手段が、当該認証用タグは前記認識エリア内に位置せず、別の認識エリア内に位置すると認識することである。
【００１８】
これによれば、仮登録または仮無効化のためには、その認識エリアから隣接する別の認識エリアに認証用タグを移動させればよい。このように隣接する別の認識エリアに移動させることが条件であるため、別の認識エリアが存在せず単に認識エリアから認証用タグを出すことが条件である場合に比べて、移動の方向も条件となる。これに対して、登録または無効化の対象ではない認証用タグもこの方向に移動する可能性は極めて低い。したがって、登録または無効化の対象ではない認証用タグを誤って登録または無効化することをさらに防止できる。
【００１９】
特に、認識エリアと別の認識エリアの境界は、第１の起動源と第２の起動源の設置場所や発生する磁界の大きさなどによってほぼ任意に設定できるため、例えば、ドアが取付けられた壁などにその境界を一致させれば、ドアを通過することが仮登録または仮無効化の条件となる。この場合、登録または無効化を操作者が行っている最中に、登録または無効化の対象ではない認証用タグの携帯者がドアを通過しようとしても、操作者はすぐに気が付いて阻止できる。したがって、登録または無効化の対象ではない認証用タグを誤って登録または無効化することを確実に防止できる。
【００２０】
別の好ましい実施形態によれば、前記所定の条件は無条件であり、前記登録・無効化手段が、前記操作用タグが前記認識エリア内に位置している状態で実行指示を受けると、仮登録または仮無効の状態に設定されている認証用タグの状態を、登録または無効に設定することに代えて、前記登録・無効化手段が、前記操作用タグが前記認識エリア内に位置している状態で実行指示を受けると、その時点において前記認識エリア内に位置する認証用タグのうち、仮登録または仮無効の状態に設定されている認証用タグの状態を、登録または無効に設定する。登録または無効化の対象である認証用タグが単に認識エリア内に滞在させるだけで登録または無効化できるため、登録または無効化を行う操作者が操作に不慣れであっても、適切に登録または無効化を行うことができる。
【００２１】
好ましくは、さらに、前記ＲＦＩＤタグ認識手段が認識したＲＦＩＤタグのうち、認証用タグについて、前記登録・無効化手段が設定した状態に基づいて、認証登録されているか否かを判定する認証手段と、前記認証手段が認証登録されていると判定すると、認証登録されている旨の結果を出力する認証通知手段とを備える。すなわち、本認証登録・無効化装置は、認証装置によって実現されている。したがって、認証装置とは別個に認証登録・無効化のための装置を設ける必要がない。
【００２２】
好ましくは、前記認証通知手段が前記結果を出力することによって、開閉手段の開放が許可される。前記開放手段は、例えば、自動式または手動式のドアやシャッタである。代わりに、前記認証通知手段が前記結果を出力することによって、例えば、ランプが点滅されて報知されるものであってもよい。
【発明の効果】
【００２３】
本発明の認証登録・無効化装置によれば、認証装置のＲＦＩＤリーダの読取範囲がたとえ広くても、登録または無効化の対象ではないＲＦＩＤタグが誤って認証登録または認証無効化されるのを防止できる。
【図面の簡単な説明】
【００２４】
【図１】本発明の第１〜第３の実施形態に係る認証登録・無効化装置の概略ブロック図である。
【図２】本発明の第１および第２の実施形態に係る認証登録・無効化装置が設けられた周辺領域の上面図である。
【図３】図１の認証登録・無効化装置の認識エリアを示す概略上面図である。
【図４】図１の認証登録・無効化装置が認証する操作用タグの斜視図である。
【図５】（ａ）〜（ｅ）は、本発明の第１の実施形態に係る認証登録・無効化装置の登録処理手順を段階的に示す図であって、それぞれ、その段階の認識エリアを示す概略上面図と、必要に応じて、その段階における処理用テーブルの状態とを示す図である。
【図６】（ａ）〜（ｅ）は、本発明の第２の実施形態に係る認証登録・無効化装置の登録処理手順を段階的に示す図であって、それぞれ、その段階の認識エリアを示す概略上面図と、必要に応じて、その段階における処理用テーブルの状態とを示す図である。
【図７】本発明の第３の実施形態に係る認証登録・無効化装置が設けられた周辺領域の上面図である。
【図８】（ａ）〜（ｄ）は、本発明の第３の実施形態に係る認証登録・無効化装置の登録処理手順を段階的に示す図であって、それぞれ、その段階の認識エリアを示す概略上面図と、必要に応じて、その段階における処理用テーブルの状態とを示す図である。
【発明を実施するための形態】
【００２５】
以下、本発明の各実施形態に係る認証登録・無効化装置について図面に基づいて説明する。
図１に、本発明の第１実施形態に係る認証登録・無効化装置１を示す。この認証登録・無効化装置１は、人間によって携帯されたＲＦＩＤタグが認証登録されているか否かを判定する認証装置自体に、認証登録・無効化のための機能を組み込むことによって実現されている。
【００２６】
本認証登録・無効化装置１は、例えば、企業の建物における重要な出入口やマンションの出入口に設置されており、ＲＦＩＤタグが認証登録されていると判定した場合にのみ、出入口に設けたドア５のような開閉手段の開放を、制御装置６を介して許可する。図２に示すように、認証登録・無効化装置１は、例えば、両開き自動ドア５の周辺の壁５１に取付けられる。なお、開閉手段５としては、シャッタであってもよく、その他、認証した場合に開放が許可されるものであれば、自動か手動かにかかわらずいかなるものであってもよい。
【００２７】
図１に戻って、認証登録・無効化装置１は、ＲＦＩＤリーダ２および処理部３を備える。ＲＦＩＤリーダ２は、図３に示すように、認識エリアＡ内のＲＦＩＤタグ１０からのＲＦＩＤ信号（電波）を受信する。認識エリアＡ内は、複数のＲＦＩＤタグ１０の存在を許容する。これら複数のＲＦＩＤタグ１０が認識エリアＡ内で定期的に発信するＲＦＩＤ信号には、各ＲＦＩＤタグ１０に固有のＩＤ情報が含まれる。ＲＦＩＤリーダ２は、これら複数のＲＦＩＤタグ１０からのＲＦＩＤ信号を受信する。なお、認識エリアＡは、認証登録・無効化装置１が認証装置として機能している際には、認証エリアとなる。
【００２８】
本実施形態において、ＲＦＩＤタグ１０はいわゆるセミアクティブ型である。セミアクティブ型のＲＦＩＤシステムではＲＦＩＤタグ１０が起動されるエリアが後述するように特定されるため、認証登録・無効化のための操作を行う操作者は認識エリアＡを把握しやすい。ただし、ＲＦＩＤタグ１０は、セミアクティブ型に限らず、いわゆるアクティブ型であってもよい。
【００２９】
ＲＦＩＤタグ１０がいわゆるセミアクティブ型であるため、認識エリアＡを構成するトリガ磁界を発生する磁界発生手段２１が存在する。磁界発生手段２１は、トリガコイル２１ａおよびこのトリガコイル２１ａに磁界を発生させるトリガユニット２１ｂとからなる。図２に示すように、トリガコイル２１ａは例えば建物の外側のドア５近傍の床に埋め込まれ、トリガユニット２１ｂは壁５１に取付けられ、図示しない配線でトリガコイル２１ａに接続される。
【００３０】
図３において、ＲＦＩＤタグ１０は認証用タグ１０ａと操作用タグ１０ｂのいずれか一方に分類される。認証用タグ１０ａは認証に用いられる。したがって、権限を有する人物は、認証登録された認証用タグ１０ａが内蔵されたＩＣカードのような被認証物を携帯する。ただし、この被認証物はカード形状に限定されず、携帯しやすい形状からなるものであれば、いかなるものであってもよい。
【００３１】
操作用タグ１０ｂは、図４に示すように、人間の掌に収まる程度の寸法からなる登録・無効化指示装置４０に内蔵されている。登録・無効化指示装置４０は、切替用ボタン４１および指示用ボタン４２を有する。切替用ボタン４１は登録および無効化を切り替えるためのボタンであり、このボタンの押下により、指示用ボタン４２の指示が登録と無効化の間で切り替えられる。指示用ボタン４２は、切替用ボタン４１による切替えに応じて、認証用タグ１０ａ（図２）を登録または無効化するためのボタンであり、例えば、ボタンの押下がすぐに解除された場合には仮登録または仮無効化の指示となり、長押しされた場合にはその仮登録または仮無効化の実行指示となる。
【００３２】
登録・無効化指示装置４０は、また、ＬＥＤランプなどからなる報知手段４３を有する。ＬＥＤランプ４３は、点滅などによって、この登録・無効化指示装置４０の操作者に、ボタン４１，４２の操作が実行されたことを報知する。
【００３３】
なお、ＲＦＩＤタグ１０（図３）が操作用タグ１０ｂであるか認証用タグ１０ａ（図３）であるかは、その発信するＲＦＩＤ信号に含まれる、認証用タグまたは操作用タグであることを示す識別子で判定される。したがって、この登録・無効化指示装置４０に含まれる操作用タグ１０ｂは、図示しないボタンの押下によって認証用タグと操作用タグとの間で切り替えられて、認証用タグと操作用タグのいずれにもなり得るものであってもよい。操作用タグ１０ｂは、また、登録のための操作用タグと、無効化のための操作用タグとが、別個のものであってもよい。
【００３４】
図１に戻って、処理部３は、ＲＦＩＤタグ認識部３１、登録・無効化処理部３２、認証処理部３３およびメモリ上に構成された処理用テーブル４を有する。ここで、登録・無効化処理部３２と認証処理部３３とは、同時に処理を実行することはない。すなわち、認証登録または認証無効化を行っている間は、登録・無効化処理部３２の処理が実行されるのに対して、開閉手段５の開放を許可するために認証を行っている間は、認証処理部３３の処理が実行される。
【００３５】
ＲＦＩＤタグ認識部３１はＲＦＩＤタグ認識手段３１ａを含む。ＲＦＩＤタグ認識手段３１ａは、ＲＦＩＤリーダ２が受信する信号に基づいて、認識エリアＡ（図２）内に位置する全てのＲＦＩＤタグを認識して、処理用テーブル４に記録する。
【００３６】
登録・無効化処理部３２は、仮状態設定手段３２ａおよび登録・無効化手段３２ｂを含む。仮状態設定手段３２ａは、後述するように、一定の認証用タグについての状態を、仮登録または仮無効の状態に設定して処理用テーブル４に記録する。登録・無効化手段３２ｂは、仮登録または仮無効の状態に設定されている一定の認証用タグの状態を、登録または無効に設定することにより、その認証用タグの認証登録または認証無効化を行い、処理用テーブル４に記録する。
【００３７】
認証処理部３３は、認証手段３３ａおよび認証通知手段３３ｂを含む。認証手段３３ａは、ＲＦＩＤタグ認識手段３１ａが認識した全てのＲＦＩＤタグについて、処理用テーブル４を参照して登録されているか否かを判定する。認証通知手段３３ｂは、認証手段３３ａが少なくとも１つの認証用タグが登録されていると判定すると、ドア５の開放を許可する信号をドア制御装置６に出力する。
【００３８】
次に、本実施形態に係る認証登録・無効化装置１の登録処理手順について図５（ａ）〜（ｅ）を参照して説明する。なお、無効化処理手順についての説明は省略するが、登録処理手順の登録が無効化に置き換わるだけである。この登録処理は、企業の建物であれば新たに社員が入社した場合や、マンションであれば新たな住人が加わった場合などに実行される。
【００３９】
まず、図５（ａ）において、認識エリアＡを利用してＩＣカードに内蔵された認証用タグ１０ａの登録を行う操作者Ｏは、認識エリアＡを目視で確認することはできないが、トリガコイル２１ａ（図３）の取付場所を認識しているため、認識エリアＡを概ね把握している。
【００４０】
この操作者Ｏは、例えば、一方の手に登録・無効化指示装置４０を把持し、他方の手に登録対象である認証用タグ１０ａ（「タグ１」とする）を内蔵するＩＣカードを把持して、認識エリアＡ内に入る。認識エリアＡに入ることで登録・無効化指示装置４０内の操作用タグ１０ｂおよび認証用タグ１０ａ（「タグ１」）が磁界発生手段２１（図３）によって起動されて、ＲＦＩＤ信号を発信する。この時点では操作用タグ１０ｂが発信するＲＦＩＤ信号は、指示についての情報を含まない。操作者Ｏが切替・操作用ボタン４１，４２（図４）を押下して仮登録の指示を行なうと、操作用タグ１０ｂが発信するＲＦＩＤ信号には、仮登録指示が含まれる。そして、操作者Ｏが次に何らかの操作をするまで、認識エリアＡ内に位置する登録・無効化指示装置４０内の操作用タグ１０ｂは所定の時間間隔で仮登録指示を含むＲＦＩＤ信号を発信し続ける。
【００４１】
この仮登録指示を含むＲＦＩＤ信号をＲＦＩＤリーダ２が受信すると、仮状態設定手段３２ａは、図５（ｂ）に示すようにその時点で認識エリア内Ａに位置する認証用タグ１０ａを仮登録状態とする。登録対象である認証用タグ１０ａ（「タグ１」）も磁界発生手段２１によって起動されているため、ＲＦＩＤ信号を発信している。この認証用タグ１０ａ（「タグ１」）からのＲＦＩＤ信号をＲＦＩＤリーダ２が受信すると、ＲＦＩＤタグ認識手段３１ａは、ＲＦＩＤ信号を受信したことと、そのＲＦＩＤ信号に含まれる情報とから、認識エリアＡ内に位置する認証用タグ１０ａ（「タグ１」）を認識する。そして、仮状態設定手段３２ａが、処理用テーブル４において、この認証用タグ１０ａ（「タグ１」）の状態を仮登録状態に設定する。
【００４２】
このように操作用タグ１０ｂが仮登録指示を含むＲＦＩＤ信号を発信し続けている間に、図５（ｃ）に示すように、登録対象ではない認証用タグ１０ａ（「タグ２」とする）が内蔵されたＩＣカードの携帯者Ｍが認識エリアＡを横切るとする。この場合、認証用タグ１０ａ（「タグ２」）が認識エリアＡ内に入ったことで、その認証用タグ１０ａ（「タグ２」）が磁界発生手段２１（図３）によって起動されてＲＦＩＤ信号を発信する。この認証用タグ１０ａ（「タグ２」）からのＲＦＩＤ信号をＲＦＩＤリーダ２が受信すると、ＲＦＩＤタグ認識手段３１ａ（図１）は、ＲＦＩＤ信号を受信したことと、そのＲＦＩＤ信号に含まれる情報とから、認識エリアＡ内に位置する認証用タグ１０ａ（「タグ２」）も認識する。これにより、仮状態設定手段３２ａが、この認証用タグ１０ａ（「タグ２」）の状態も仮登録状態に設定する。
【００４３】
しかし、図５（ｄ）に示すように、携帯者Ｍは単に認識エリアＡを横切っただけであるため、携帯者Ｍが所持するＩＣカードの認証用タグ１０ａ（「タグ２」）は認識エリアＡから出て、ＲＦＩＤタグ認識手段３１ａ（図１）は認証用タグ１０ａ（「タグ２」）を認識しなくなる。そのため、仮状態設定手段３２ａは、処理用テーブル４からその認証用タグ１０ａ（「タグ２」）を削除する。
【００４４】
次に、図５（ｅ）に示すように、操作者Ｏが、周囲に登録対象ではないＲＦＩＤタグを含むＩＣカードが存在しないことを確認してから登録・無効化指示装置４０の操作用ボタン４２を長押して本登録の指示を行うと、登録・無効化手段３２ｂが、処理用テーブル４に記録された仮登録の状態の認証用タグ１０ａ（「タグ１」）の状態を登録に設定する。これにより、認証用タグ１０ａ（「タグ１」）が認証登録される。
【００４５】
第２の実施形態に係る登録・無効化指示装置１について説明する。本実施形態に係る装置１は、図１に示した第１の実施形態に係る登録・無効化指示装置１と同一の構成を有する。第２の実施形態が第１の実施形態と異なる点は、登録処理手順である。その手順について、図６（ａ）〜（ｅ）を参照して説明する。本実施形態においても、無効化処理手順についての説明は省略するが、登録処理手順の登録が無効化に置き換わるだけである。
【００４６】
図６（ａ）において、操作者Ｏは、一方の手に登録・無効化指示装置４０を把持し、他方の手に登録対象である認証用タグ１０ａ（「タグ１」とする）を内蔵するＩＣカードを把持し、さらに、自己の認証用タグ１０ａ（「タグ２」とする）を内蔵するＩＣカードを携帯したまま認識エリアＡ内に入る。認識エリアＡに入ることで登録・無効化指示装置４０内の操作用タグ１０ｂおよび認証用タグ１０ａ（「タグ１」および「タグ２」）が磁界発生手段２１（図３）によって起動されて、ＲＦＩＤ信号を発信する。この時点で発信するＲＦＩＤ信号は、指示についての情報を含まない。操作者Ｏが切替・操作用ボタン４１，４２（図４）を押下して仮登録の指示を行なうと、操作用タグ１０ｂが発信するＲＦＩＤ信号には、仮登録指示が含まれる。そして、操作者Ｏが次に何らかの操作をするまで、認識エリアＡ内に位置する登録・無効化指示装置４０内の操作用タグ１０ｂは所定の時間間隔で仮登録指示を含むＲＦＩＤ信号を発信し続ける。
【００４７】
この仮登録指示を含むＲＦＩＤ信号をＲＦＩＤリーダ２が受信しても、第１の実施形態の方法とは異なり、仮状態設定手段３２ａ（図１）は、図５（ｂ）に示したようにその時点では、認識エリア内Ａに位置する認証用タグ１０ａを仮登録状態としない。一方、登録対象である認証用タグ１０ａ（「タグ１」）および登録対象ではない認証用タグ１０ａ（「タグ２」）も磁界発生手段２１（図３）によって起動されているため、ＲＦＩＤ信号を発信している。これら認証用タグ１０ａ（「タグ１」および「タグ２」）からのＲＦＩＤ信号をＲＦＩＤリーダ２が受信すると、ＲＦＩＤタグ認識手段３１ａは、ＲＦＩＤ信号を受信したことと、それらＲＦＩＤ信号に含まれる情報とから、認識エリアＡ内に位置する認証用タグ１０ａ（「タグ１」および「タグ２」）を認識する。図６（ｂ）に示すように、仮状態設定手段３２ａは、処理用テーブル４を用いて、認証用タグ１０ａ（「タグ１」および「タグ２」）を認識した時点からの経過時間をカウントする。
【００４８】
このように操作用タグ１０ｂが仮登録指示を含むＲＦＩＤ信号を発信し続けている間に、図６（ｃ）に示すように、認証用タグ１０ａ（「タグ３」とする）が内蔵されたＩＣカードの携帯者Ｍが認識エリアＡに入るとする。この場合、認証用タグ１０ａ（「タグ３」）が認識エリアＡ内に入ったことで、その認証用タグ１０ａ（「タグ３」）が磁界発生手段２１によって起動されてＲＦＩＤ信号を発信する。この認証用タグ１０ａ（「タグ２」）からのＲＦＩＤ信号をＲＦＩＤリーダ２が受信すると、ＲＦＩＤタグ認証手段３１ａ（図１）は、ＲＦＩＤ信号を受信したことと、そのＲＦＩＤ信号の情報とから、認識エリアＡ内に位置する認証用タグ１０ａ（「タグ３」）も認識する。仮状態設定手段３２ａは、この認証用タグ１０ａ（「タグ３」）についても、認識した時点からの経過時間をカウントする。
【００４９】
操作者Ｏは、仮登録のための条件である、登録対象の認証用タグ１０ａ（「タグ１」）を含むＩＣカードを認識エリアＡに滞在させなければならない期間を把握している。したがって、操作者Ｏは、少なくともこの期間が経過するまで、登録対象の認証用タグ１０ａ（「タグ１」）を含むＩＣカードを認識エリアＡに滞在させる。
【００５０】
図６（ｄ）に示すように、本実施形態では、仮登録のためにはＩＣカードをある程度の期間認識エリアＡに滞在させる必要があるため、この所定の期間認識エリアＡに滞在せずに認識エリアＡを横切るＩＣカードの認証用タグ（「タグ３」）は、仮登録の条件を満足せず、仮状態設定手段３２ａはこの認証用タグ（「タグ３」）を処理用テーブル４から削除する。
【００５１】
操作者Ｏが、登録対象のＲＦＩＤタグを内蔵するＩＣカードを認識エリアＡに滞在させなければならない期間を超えたことを確認してから、その登録対象の認証用タグ１０ａ（「タグ１」）を含むＩＣカードを認識エリアＡから出すと、ＲＦＩＤリーダ２がその認証用タグ１０ａ（「タグ１」）からＲＦＩＤ信号を受信しなくなる。この時に認証用タグ１０ａ（「タグ１」）が仮登録される。しかし、ここで、認識エリアＡを操作者Ｏは概ね把握しているものの認証用タグ１０ａ（「タグ１」）が仮登録されたか明確に把握できないため、登録・無効化指示装置４０の図示しないスピーカからの報知音によって操作者Ｏに報知されてもよい。
【００５２】
前記期間以上認識エリアＡ内に滞在した認証用タグ１０ａ（「タグ１」および「タグ２」）のうち、ＲＦＩＤタグ認識手段３１ａ（図１）が認識しなくなった認証用タグ１０ａ（「タグ１」）については、認識しなくなった時点で、仮状態設定手段３２ａが処理用テーブル４から削除するのではなく仮登録状態とする。一方、操作者Ｏが携帯しているＩＣカードの認証用タグ１０ａ（「タグ２」）については、認識エリアＡから出ないため、誤って認証登録されることがない。
【００５３】
このように本実施形態では、所定の期間以上認識エリアＡ内に滞在してからその後に認識エリアＡから出たＩＣカードの認証用タグ１０ａ（「タグ１」）のみを仮登録状態とする。このＩＣカードの動き、すなわち、所定期間以上認識エリアＡに滞在してから認識エリアＡから出るという動きは、操作者Ｏが登録作業を行っている間に意図されずに発生することがほとんどあり得ない。したがって、登録対象以外の認証用タグ１０ａが誤って仮登録状態になることを効果的に防止できる。
【００５４】
この後、図６（ｅ）に示すように、操作者Ｏが登録・無効化指示装置４０の操作用ボタン４２を長押して本登録の指示を行うと、登録・無効化手段３２ｂが、処理用テーブル４に記録された仮登録の状態の認証用タグ１０ａ（「タグ１」）の状態を登録に設定する。これにより、認証用タグ１０ａ（「タグ１」）が登録される。
【００５５】
第３の実施形態に係る登録・無効化指示装置１について説明する。本実施形態に係る装置１が、図２に示した第１および第２の実施形態に係る登録・無効化指示装置１と異なる点は、図７に示すように、認識エリアＡを確定する起動エリアに磁界を発生する磁界発生手段（第１の磁界発生手段）２１に加えて、別の磁界発生手段（第２の磁界発生手段）２２も有する点である。この別の磁界発生手段２２もトリガコイル２２ａおよびトリガユニット２２ｂからなる。この第２の磁界発生手段２２のトリガコイル２２ａは、第１の磁界発生手段２１のトリガコイル２１ａに対して、ドア５および壁５１をはさんで線対称の位置関係にある。そのため、第２のトリガコイル２２ａも、建物の内側のドア５近傍の床に埋め込まれている。この第２の磁界発生手段２２も第１の磁界発生手段２１とは別に磁界を生成するため、認識エリア（第１の認識エリア）Ａに加えて別の認識エリア（第２の認識エリア）Ｂが存在する。各ＲＦＩＤタグ１０が発信するＲＦＩＤ信号には、いずれのトリガコイル２１ａ，２２ａで起動されたかを示す情報、つまり認識エリアＩＤが含まれる。
【００５６】
本実施形態においては、第１および第２の磁界発生手段２１，２２が形成する磁界は一部が重なる。この重なった部分に入ったＲＦＩＤタグ１０は、磁界の強さが大きい方の磁界発生手段２１,２２で起動されたものとして、発信するＲＦＩＤ信号にその磁界発生手段による認識エリアＩＤが含まれるようにすることができる。本実施形態では、第１および第２の磁界発生手段２１，２２が発生する磁界の大きさはほぼ同一とし、第１および第２の認識エリアＡ，Ｂの境界は、ドア５および壁５１にほぼ一致する。このため、操作者Ｏは、ドア５周辺における認識エリアＡの境界、つまり認識エリアＡの内側および外側をほぼ正確に把握できる。
【００５７】
このように２つの認識エリアＡ，Ｂが存在するため、本実施形態においては、第２の認識エリアＢについての認識エリアＩＤを含むＲＦＩＤ信号をＲＦＩＤリーダ２が受信すると、ＲＦＩＤタグ認識手段３１ａは、そのＲＦＩＤ信号に含まれる認識エリアＩＤに基づいて、そのＲＦＩＤ信号を発信する当該ＲＦＩＤタグ１０は第２の認識エリアＢに位置すると認識し、その場合、当該ＲＦＩＤタグ１０は第１の認識エリア内に位置しないと認識する。
【００５８】
次に、この第３の実施形態に係る装置の登録処理手順について、図８（ａ）〜（ｄ）を参照して説明する。本実施形態が第２の実施形態の装置の登録処理手順と異なる点は、登録対象であるＲＦＩＤタグを内蔵するＩＣカードを第１の認識エリアＡに滞在させなければならない期間がない点と、操作者ＯがそのＩＣカードを第１の認識エリアＡから出すのに、第２の認識エリアＢに向かって移動すればよい点である。なお、本実施形態においても、無効化処理手順についての説明は省略するが、登録処理手順の登録が無効化に置き換わるだけである。
【００５９】
図８（ａ）において、操作者Ｏは、一方の手に登録・無効化指示装置４０を把持し、他方の手に登録対象である認証用タグ１０ａ（「タグ１」とする）を内蔵するＩＣカードを把持し、さらに、自己の認証用タグ１０ａ（「タグ２」とする）を内蔵するＩＣカードを携帯したまま認識エリアＡ内に入る。認識エリアＡに入ることで登録・無効化指示装置４０内の操作用タグ１０ｂおよび認証用タグ１０ａ（「タグ１」および「タグ２」）が磁界発生手段２１（図７）によって起動されて、ＲＦＩＤ信号を発信する。この時点で発信するＲＦＩＤ信号は、指示についての情報を含まない。操作者Ｏが操作用ボタン４２（図４）を押下して仮登録の指示を行なうと、操作用タグ１０ｂが発信するＲＦＩＤ信号には、仮登録指示が含まれる。そして、操作者Ｏが次に何らかの操作をするまで、認識エリアＡ内に位置する登録・無効化指示装置４０内の操作用タグ１０ｂは所定の時間間隔で仮登録指示を含むＲＦＩＤ信号を発信し続ける。
【００６０】
この仮登録指示を含むＲＦＩＤ信号をＲＦＩＤリーダ２（図１）が受信しても、仮状態設定手段３２ａ（図１）は、その時点では、認識エリア内Ａに位置する認証用タグ１０ａを仮登録状態としない。一方、登録対象である認証用タグ１０ａ（「タグ１」）および登録対象ではない認証用タグ１０ａ（「タグ２」）も磁界発生手段２１（図７）によって起動されているため、ＲＦＩＤ信号を発信している。これら認証用タグ１０ａ（「タグ１」および「タグ２」）からのＲＦＩＤ信号をＲＦＩＤリーダ２が受信すると、ＲＦＩＤタグ認識手段３１ａ（図１）は、ＲＦＩＤ信号を受信したことと、それらＲＦＩＤ信号に含まれる情報とから、認識エリアＡ内に位置する認証用タグ１０ａ（「タグ１」および「タグ２」）を認識する。
【００６１】
図８（ｂ）に示すように、操作者Ｏは、仮登録のために、登録対象の認証用タグ１０ａ（「タグ１」）を含むＩＣカードを第１の認識エリアＡから第２の認識エリアＢに移動させる。この際、第１および第２の認識エリアＡ，Ｂの境界は上述したようにドア５（図示のようにドア５が開放している場合にはドア５の延長線上）にほぼ一致するため、操作者Ｏは、開放したドア５を超えて建物の外側から内側にＩＣカードを移動させるだけでよい。このように、本実施形態では、第１および第２の認識エリアＡ，Ｂの境界が明確であるため。操作者Ｏは操作しやすい。その一方、その境界を跨ぐには開放されているドア５を通過させるしかないため、登録対象ではないＲＦＩＤタグを内蔵するＩＣカードの携帯者が操作者Ｏの目の前でドア５を通過しようとした場合、操作者Ｏはすぐに気が付いて阻止できる。したがって、登録対象ではない認証用タグが誤って仮登録されるのを確実に防止できる。
【００６２】
操作者Ｏが登録対象の認証用タグ１０ａ（「タグ１」）を含むＩＣカードを第１の認識エリアＡから第２の認識エリアＢに移動すると、ＲＦＩＤリーダ２（図１）が受信するＲＦＩＤ信号に含まれる認識エリアＩＤが、第１の認識エリアＡのＩＤから第２の認識エリアＢのＩＤに切り替る。その一方、操作者Ｏが携帯しているＩＣカードの認証用タグ１０ａ（「タグ２」）については、認識エリアＡに滞在したままであるため、ＲＦＩＤリーダ２（図１）が受信するＲＦＩＤ信号に含まれる認識エリアＩＤは第１の認識エリアＡのＩＤのままである。
【００６３】
図８（ｃ）に示すように、認識エリアＩＤが、第１の認識エリアＡのＩＤから第２の認識エリアＢのＩＤに切り替った認証用タグ１０ａ（「タグ１」）について、仮状態設定手段３２ａ（図１）は、その切替りの時点で仮登録状態として処理用テーブル４に記録する。すなわち、図８（ｂ）に示すように、処理用テーブル４における認証用タグ１０ａ（「タグ１」）がエリアＢ内に認識されると、その時点で、図８（ｃ）に示すように、処理用テーブル４における認証用タグ１０ａ（「タグ１」）は仮登録状態に設定される。
【００６４】
この後、図８（ｄ）に示すように、操作者Ｏが登録・無効化指示装置４０の操作用ボタン４２を長押して本登録の指示を行うと、登録・無効化手段３２ｂ（図１）が、処理用テーブル４に記録された仮登録の状態の認証用タグ１０ａ（「タグ１」）の状態を登録に設定する。これにより、認証用タグ１０ａ（「タグ１」）が登録される。
【００６５】
本実施形態では、このように認証中に用いられる第２の認識エリアＢを登録・無効化にも利用することで、登録または無効化の対象ではない認証用タグが誤って登録または無効化されることを確実に防止できる。
【００６６】
また、本実施形態では、仮登録にはドア５を通過することが条件であり、登録または無効化の対象ではない認証用タグがドア５を通過することは阻止しやすいため、第２の実施形態のような、所定期間以上認識エリアＡ内に滞在するという条件は不要である。
【００６７】
以上のとおり、本発明に係る認証登録・無効化装置によれば、認証装置１のＲＦＩＤリーダの読取範囲がたとえ広くても、登録または無効化ではない認証用タグを誤って認証登録または認証無効されるのを防止できる。
【００６８】
なお、上記各実施形態では、１つのＩＣカードの認証用タグの登録について説明したが、複数のＩＣカードの認証用タグを同時に登録することも可能である。
【００６９】
また、各種指示は、登録・無効化指示装置のボタン操作でその操作用タグ１０ｂからのＲＦＩＤ信号に含めて認証登録・無効化装置に入力されるものとしたが、操作用タグは、単に認識エリア内に位置するだけで、各種指示は認証登録・無効化装置に設けられた入力手段を介して入力されてもよい。
【符号の説明】
【００７０】
１        認証登録・無効化装置
２        ＲＦＩＤリーダ
１０      ＲＦＩＤタグ
１０ａ    認証用タグ
１０ｂ    操作用タグ
３１ａ    ＲＦＩＤタグ認識手段
３２ａ    仮状態設定手段
３２ｂ    登録・無効化手段
Ａ        認識エリア
【図１】
2014219751.tif 000003
【図２】
2014219751.tif 000004
【図３】
2014219751.tif 000005
【図４】
2014219751.tif 000006
【図５】
2014219751.tif 000007
【図６】
2014219751.tif 000008
【図７】
2014219751.tif 000009
【図８】
2014219751.tif 000010